(57)【要約】【課題】携帯端末装置の受信電界レベルが低い場合に、通信品質の低下を防止する。【解決手段】ＬＣＤ表示部を有する携帯端末装置において、通信時の受信電界レベルをしきい値と比較し、受信電界レベルがしきい値よりも大きいときにはＬＣＤ表示部に表示するデータを１００％とし、受信電界レベルがしきい値よりも小さいときには、ＬＣＤ表示部に表示するデータ量を削減する。ＬＣＤ表示部に伝達するデータ量を削減することで、自己発生ノイズを低減し、受信電界レベルが低い場合にも、通信品質を維持する。【選択図】図６
2008294536.tif 000002
【特許請求の範囲】
【請求項１】
ＬＣＤ表示装置を備える無線端末装置において、
受信する無線信号の電界レベルを検出する電界レベル検出装置と、
前記検出された電界レベルが所定のしきい値以下のときには、ＬＣＤ表示装置に入力する表示データ量を削減するようにＬＣＤ表示装置を制御する制御部とを備えることを特徴とする無線端末装置。
【請求項２】
前記制御部は、前記表示データ量の削減に際して、ＬＣＤ表示装置の一部領域の表示データのみをＬＣＤ表示装置に入力し、ＬＣＤ表示装置が表示する領域を前記一部領域に制限して表示する、請求項１に記載の無線端末装置。
【請求項３】
前記制御部は、前記表示データ量の削減に際して、ＬＣＤ表示装置の一部領域の表示データのみをＬＣＤ表示装置に入力し、該入力した表示データを表示すべき領域を拡大してＬＣＤ表示装置上で表示する、請求項１又は２に記載の無線端末装置。
【請求項４】
前記制御部は、前記表示データ量の削減に際して、ＬＣＤ表示装置の表示領域を複数の画素を含む画素グループに区分し、該画素グループの内の一部の画素のデータを送信し、前記一部の画素で表示データを表示する、請求項１〜３の何れか一に記載の無線端末装置。
【請求項５】
前記しきい値が複数のしきい値を含み、前記制御部は、前記表示する領域を複数段階にわたって制限する、請求項１〜４の何れか一に記載の無線端末装置。
【請求項６】
ＬＣＤ表示装置を備える無線端末装置の制御方法において、
受信する無線信号の電界レベルを検出するステップと、
前記検出された電界レベルが所定のしきい値以下のときには、ＬＣＤ表示装置に入力する表示データ量を削減して、ＬＣＤ表示装置を制御するステップと、を有することを特徴とする制御方法。
【請求項７】
ＬＣＤ表示装置を備える無線端末装置を制御するコンピュータのためのプログラムであって、前記コンピュータに、
受信する無線信号の電界レベルを検出するステップと、
前記検出された電界レベルが所定のしきい値以下のときには、ＬＣＤ表示装置に入力する表示データ量を削減して、ＬＣＤ表示装置を制御するステップと、を実行させることを特徴とするプログラム。
【発明の詳細な説明】
【技術分野】
【０００１】
本発明は、無線端末装置、その制御方法及びプログラムに関し、更に詳しくは、ＬＣＤ表示装置を有する無線端末装置、その制御方法及びプログラムに関する。
【背景技術】
【０００２】
携帯電話機では、基地局から受信する受信電界の信号レベルをＬＣＤ表示装置などの表示部に表示することが一般的に行われている。しかし、ユーザは、携帯電話機の通話中には、表記部の表示を見ることが出来ず、表示された信号レベルを確認することが出来ない。特許文献１には、送受信アンテナが収容状態のときには、計測した受信電界レベルが低いときほど、通話時の音量を低く設定して、通話を行う携帯電話機が記載されている。ユーザは、その音量の大きさによって、受信電界レベルの高低が判断でき、例えば音量が大きくなる方向に携帯電話機を向けることなどによって、良好な受信電界レベルを得ることが出来る。
【０００３】
ところで、携帯電話機では、弱い電界レベルでの着信の際に、或いは、通話中に電界レベルが低くなった場合には、携帯電話機の自己発生ノイズにより、着信がかからないケースや、通話が切断されてしまうなどの事態が発生することがあった。上記特許文献１では、受信電界レベルが低いほど低い音量を採用するので、この目的には合致しているが、その目的自体は意識されていない。また、上記構成の採用のみでは充分とはいえない。
【０００４】
携帯電話機では、自己発生ノイズによって通話が切断されるような上記事態を防止する技術が提案されている。特許文献２には、無線機における受信動作に際して、制御部が受信動作に不必要な制御動作の一部を休止する構成が記載されている。この技術では、無線部が受信する電界の信号レベルを測定し、その信号レベルがしきい値以下の場合には、一部の電源を停止し、或いは、表示部による表示を停止して、自己発生ノイズを低減することで、受信動作を優先している。
【０００５】
【特許文献１】特開２００３−１１５８９９号公報
【特許文献２】特開２００１−３３２９９４号公報
【発明の開示】
【発明が解決しようとする課題】
【０００６】
特許文献２に記載の無線機では、受信電界レベルが低いときに、受信動作に不必要なために制限すべき動作の例として、表示部による表示が挙げられている。しかし、携帯電話機では、着信時にはその着呼の相手先の電話番号や氏名などが表示されるため、表示部による表示は着信時に不必要な機能とはいえない。つまり、着信時に表示部による表示を停止すると、着信時に必要な情報が得られず、ユーザに不便を掛けるという問題がある。
【０００７】
本発明は、着信時などに必要な機能を損なうことがなく、自己発生ノイズを低減可能なため、信号電界レベルが低いときにも着信が可能で、且つ、通話中の通信切断を防止できる無線端末装置を提供することを目的とする。
【課題を解決するための手段】
【０００８】
上記目的を達成するために、本発明の無線端末装置は、ＬＣＤ表示装置を備える無線端末装置において、
受信する無線信号の電界レベルを検出する電界レベル検出装置と、
前記検出された電界レベルが所定のしきい値以下のときには、ＬＣＤ表示装置に入力する表示データ量を削減するようにＬＣＤ表示装置を制御する制御部とを備えることを特徴とする。
【０００９】
また、本発明の無線端末装置の制御方法は、ＬＣＤ表示装置を備える無線端末装置の制御方法において、
受信する無線信号の電界レベルを検出するステップと、
前記検出された電界レベルが所定のしきい値以下のときには、ＬＣＤ表示装置に入力する表示データ量を削減して、ＬＣＤ表示装置を制御するステップと、を有することを特徴とする。
【００１０】
更に、本発明のプログラムは、ＬＣＤ表示装置を備える無線端末装置を制御するコンピュータのためのプログラムであって、前記コンピュータに、
受信する無線信号の電界レベルを検出するステップと、
前記検出された電界レベルが所定のしきい値以下のときには、ＬＣＤ表示装置に入力する表示データ量を削減して、ＬＣＤ表示装置を制御するステップと、を実行させることを特徴とする。
【発明の効果】
【００１１】
本発明の無線端末装置、無線端末装置の制御方法及びプログラムでは、受信した電界レベルが所定のしきい値よりも低いときには、ＬＣＤ表示装置に入力する表示データ量を削減するので、自己発生ノイズが低減でき、無線信号の電界レベルが低い場合にも、着信不能や通話中の通信切断などを防止できる。
【発明を実施するための最良の形態】
【００１２】
以下、図面を参照し、本発明の実施例について詳細に説明する。図１は、本発明の一実施例の携帯端末装置である携帯電話機を示す外観図である。携帯電話機１０は、折り畳み型の携帯電話機であり、上部筐体上にＬＣＤ表示部（ＬＣＤ表示装置）１１及びアンテナ１２を備え、下部筐体上にキーボードを、その内部にバッテリー１３を備えている。
【００１３】
図２は、図１の携帯電話機１０の内部構成を示す機能ブロック図である。携帯電話機１０は、各種データを表示するＬＣＤ表示部１１、各部の動作を制御する制御部２１、ＬＣＤに表示するデータやその他の各種データを格納するメモリ２２、送受信用のアンテナ１２、図示しない内部回路との間及びアンテナ１２との間でデータを受け渡す無線部２３、及び、各部に電源供給を行うバッテリー１３を有する。
【００１４】
ＬＣＤ表示部１１は、ユーザに各種情報を伝えるために必要である。しかし、基地局から受信する信号の電界強度が低いときなどには、ＬＣＤ表示部１１に表示データを伝達することにより発生するノイズ成分が無線部２３のＲＦ成分を抑圧し、携帯電話機１０の受信感度が劣化することがある。このとき、ＬＣＤ表示部１１に伝達されるデータ量に依存して、ＲＦ成分が抑圧される強度が変動する。一般的にこのデータ量が大きいほど、抑圧される強度が大きくなる。受信電界レベルが低いときには、ＬＣＤ表示部１１に伝達するデータによってＲＦ信号の電界レベルが乱され、場合によっては、携帯電話機がネットワークから切断されるおそれもある。
【００１５】
このため、本実施例では、携帯電話機１０で受信する受信電界レベルを無線部２３で検出し、制御部２１がその電界レベルをしきい値と比較する。制御部２１は、受信した電界レベルがしきい値よりも低いときには、ＬＣＤ表示部１１で表示するデータ量を、所定以下に制限する。これによって、ユーザが意図しないネットワーク切断を避けることが出来る。一般に、ＬＣＤ表示部の表示領域について、その表示領域が大きければ大きいほど、伝達されるデータ量は大きくなる。従って、表示領域を制限することがデータ量の削減につながる。以下、ＬＣＤ表示部に伝達するデータ量の制限方法について、その例を挙げて説明する。
【００１６】
まず、図３を参照して、ＬＣＤ表示部１１に表示させるデータ量を減らす方法の一例を説明する。図３の例では、通常の状態では、同図（ａ）に示すようにＬＣＤ表示部１１の表示領域３１の全体（１００％）で表示を行う。データ量を減らす際には、同図（ｂ）に示すように、表示領域３１の２０％の領域のみにデータを表示する。同図（ｂ）は、全体の表示領域３１の２０％である一部領域３２、この例では中央部の一部領域３２のみにデータを表示する例である。他の領域３３、つまり、表示領域３１の８０％を構成する上部及び下部の領域３３には、データを表示しない。この例では、着信時に表示すべき重要なデータは、予めＬＣＤ表示部１１の中央領域に表示するように設定する。また、この領域を、表示する画像データの表示内容に応じて、例えば１．５倍〜３倍程度に拡大して表示することも出来る。
【００１７】
また、図４の例では、同図（ａ）に示す表示領域３１を、複数のグループ領域４１に分ける。同図（ｂ）に示すように、１つのグループ領域４１は、例えば縦横２０×２０の画素４２を含む。同図（ｃ）に示すように、各グループ領域４１内で、例えば８０％の画素４３でデータを表示し、残りの２０％の画素４４ではデータを表示しないとする間引き表示を行う。つまり、データを表示しない領域を画面全体に均一化する。このようにデータ量を制限すると、解像度は幾分落ちるものの、全てのデータが概ね表示できる。
【００１８】
図３及び図４のデータ領域制限方法は、組み合わせて実行可能である。例えば、受信した電界レベルと比較するしきい値を複数段階とし、信号レベルがかなり低くデータ量の大幅な削減が必要な場合には、図３の制限方法を採用し、信号レベルが中間値で、データ量の削減が小幅でよい場合には、図４の制限方法を採用するとしてもよい。図３及び図４のそれぞれを、複数のしきい値に対応してデータを表示する領域の大きさや、データを表示する画素の比率を複数段階としてもよい。
【００１９】
図５は、上記携帯電話機における着信時の処理を示すフローチャートである。携帯電話機１０の待ち受け中には（ステップＳ１１）、ＬＣＤ表示部１１は、メモリ２２に保存されている画像を待ち受け画面として表示している。無線部２３は、着信があると（ステップＳ１２）、その受信電界レベルを検出する（ステップＳ１３）。制御部２１は、検出した受信電界レベルを、判定のためのしきい値と比較する（ステップＳ１４）。ステップＳ１４の比較において、受信電界レベルが判定しきい値を下回っていると判定すると、制御部２１は、制限されたデータ量でＬＣＤ表示部１１の表示を行う（ステップＳ１５）。次いで、通話処理を開始する（ステップＳ１６）。また、ステップＳ１４で、受信電界レベルが判定しきい値を上回っていると判定すると、そのままステップＳ１６へ進み、通話処理を開始する。
【００２０】
上記着信時の制限処理では、例えば図３又は図４に示す方法で制限した画像を表示する。このため、ユーザは、着信時に表示される画像の視認性を極端に損なうことがない。
【００２１】
上記着信処理を採用することにより、弱い電界レベルでの着信時にも、ＬＣＤ表示部に伝達するデータの削減により、発生するノイズ成分を低減するので、自己発生ノイズによる受信波の抑圧を防止する。このため、受信波が通話接続判定のしきい値以下に低下することが防止でき、通話処理に至らない不具合を回避している。また、ＬＣＤ表示部のデータ量の制限については、真に制限が必要な状況において、且つ、必要最小限の情報が認識できる範囲で、ＬＣＤ表示部のデータ量を制限するので、ＬＣＤ表示部としての本来の機能を損なうことなく、データ量の制限が実現できる。
【００２２】
図６は、上記実施例の携帯電話機の通話中の処理を示すフローチャートである。携帯電話機が通常の状態で通話中であるときには（ステップＳ２１）、ＬＣＤ表示部１１は、メモリ２２に保存されている画像を通話中の画面に設定している。無線部２３は、アンテナ１２から入力される受信電界レベルをモニターしている（ステップＳ２２）。制御部２１は、通話中の受信電界レベルを取得して、その電界レベルが、設定されたしきい値を上回っているか下回っているかを判定する（ステップＳ２３）。
【００２３】
受信電界レベルが、しきい値を上回っていれば、ステップＳ２５に進み、データ量を制限しない１００％画像データをＬＣＤ表示部１１に送り表示させる。また、しきい値を下回った場合には、データ量を制限した画像をＬＣＤ表示部１１に表示する（ステップＳ２４）。制限した画像データについては、図３又は図４に示す方法で実現されるので、ユーザによる通話動作中の画像データの視認性を極端に損なわない。ＬＣＤ表示部１１は、制御部２１から入力されたデータを表示した後に（ステップＳ２４、Ｓ２５）、ステップＳ２２に戻り、受信電界レベルのモニターを続け、ステップＳ２２〜２５の処理を繰り返す。
【００２４】
上記携帯電話機の通話中の処理では、通話中に受信電界レベルが変動し、通話切断を行うしきい値に近づいた際には、ＬＣＤ表示部のためのデータ量を制限し、発生するノイズを軽減する。従って、ＬＣＤ表示部への表示データの伝達に起因し、弱電界での通話中に受信波が抑圧されて受信波レベルが通話接続判定のしきい値を下回ることが防止できる。つまり、携帯電話機の自己発生ノイズによって受信波が抑圧され通話が切断される事態を回避することが出来る。また、ＬＣＤ表示部の表示制限については、真に制限が必要な状況にて制限を行い、且つ、情報を認識できる範囲内でＬＣＤ表示の制限を実施することにより、ＬＣＤ表示部の本来の機能を損なうことなく、データ量制限の実現が可能となる。
【００２５】
本発明の携帯電話機におけるデータ量の制限は、音声通話による通信時のみではなく、データ通信時にも適用できる。
【００２６】
また、上記フローチャートでは、しきい値が１つの例を挙げたが、しきい値が複数あってもよい。この場合には、受信電界のレベルに応じて、例えば図４の表示画素４３を、画素グループの１００％、９０％、８０％というように段階的に制限する。
【００２７】
以上、本発明をその好適な実施例に基づいて説明したが、本発明の携帯端末装置、その制御方法及びプログラムは、上記実施例の構成にのみ限定されるものではなく、上記実施例の構成から種々の修正及び変更を施したものも、本発明の範囲に含まれる。
【図面の簡単な説明】
【００２８】
【図１】本発明の一実施例の携帯端末装置。
【図２】図１の携帯端末装置の機能ブロック図。
【図３】ＬＣＤ表示部の表示制限の一例を示す図で、（ａ）は１００％表示を、（ｂ）は２０％表示を示す。
【図４】ＬＣＤ表示部の表示制限の別の例を示す図で、（ａ）は表示領域の全体を、（ｂ）はその一部のブロックの画素構成を、（ｃ）は各ブロックでの画素の表示例をそれぞれ示す。
【図５】図１の携帯端末装置における着信時の処理を示すフローチャート。
【図６】図１の携帯端末装置における通話時の処理を示すフローチャート。
【符号の説明】
【００２９】
１０：携帯端末装置（携帯電話機）
１１：ＬＣＤ表示部
１２：アンテナ
１３：バッテリー
２１：制御部
２２：メモリ
２３：無線部
【図１】
2008294536.tif 000003
【図２】
2008294536.tif 000004
【図３】
2008294536.tif 000005
【図４】
2008294536.tif 000006
【図５】
2008294536.tif 000007
【図６】
2008294536.tif 000008